(57)【要約】【課題】窓越しからの視界が遮られるのを防止することができ、しかも植物の生育時における風の影響を効果的に抑制することができる。【解決手段】建物２の外側において建物２の壁面２ａに沿ってその壁面２ａから離間した位置に設けられ、上下方向に延在して例えば蔓性の植物７を絡み付かせるように支持する植物支持ワイヤ３と、この植物支持ワイヤ３を回転軸Ｃとして回転可能に設けられ、壁面２ａと交差する方向又は平行な方向に面方向が配置され、且つ上下方向に延在する平板状の回転プレート４と、を備えた壁面緑化プレート１を提供する。【選択図】図１
2015123009.tif 000002
【特許請求の範囲】
【請求項１】
建物の外側の壁面と離間して配置され、前記壁面と交差する方向又は平行方向に面方向が配置されると共に、上下方向に延在する回転プレートを備え、
該回転プレートは、上下方向に沿う回転軸を中心に回転可能に設けられ、
前記回転プレートの一方面側に植物が支持されっていることを特徴とする壁面緑化プレート。
【請求項２】
前記回転プレートは、上下方向に沿って延在して植物を支持する植物支持ワイヤを有し、
該植物支持ワイヤは、前記回転軸となることを特徴とする請求項１に記載の壁面緑化プレート。
【請求項３】
複数の前記回転プレートを前記壁面に沿って互いに間隔をあけて配列されていることを特徴とする請求項１又は２に記載の壁面緑化プレート。
【請求項４】
前記回転プレートには開口が形成されていることを特徴とする請求項１乃至３のいずれか１項に記載の壁面緑化プレート。
【発明の詳細な説明】
【技術分野】
【０００１】
本発明は、建物の壁面などに設置される壁面緑化プレートに関する。
【背景技術】
【０００２】
従来、都市部におけるヒートアイランド現象の緩和や大気の浄化、アメニティ空間の創出等を目的として、建物壁面の緑化が行われている。
このような建物壁面に設けられる緑化構造として、ワイヤや金網などを用いたものが知られており、窓の前等の緑越しに外の景色を見たい場合に多く採用されている。
【０００３】
ところが、ワイヤや金網などを用いた緑化構造では、風の影響によって植物の前後から風を受けて葉が痛んだり、植物の気孔が閉じて十分に光合成が行えないといった要因により、植物の生育が悪くなるおそれがあった。
そこで、このような壁面緑化の対策として、金網にヤシマット等を設置し、植物の周囲における風の通り抜けを防ぐものが、例えば、特許文献１に開示されている。
また、特許文献２には、壁面に設置した壁面緑化治具により植物を支持して植物の風による搖動を規制することにより、植物の劣化を防止するものが記載されている。
【先行技術文献】
【特許文献】
【０００４】
【特許文献１】特開２００６−７５００９号公報
【特許文献２】特開２００６−２０４２３３号公報
【発明の概要】
【発明が解決しようとする課題】
【０００５】
しかしながら、従来の壁面緑化構造では、以下のような問題があった。
すなわち、特許文献１の緑化構造においては、窓前に設置すると、ヤシマット等で窓外の視界を完全に塞いでしまうという問題があった。
また、特許文献２の壁面緑化治具を用いる場合には、植物の搖動による劣化を抑えることができるが、風自体を避ける構造ではないことから、依然、植物が風に当たることには変わりがなく、植物の気孔への影響を十分に防止することはできない。
そのため、窓前に壁面緑化構造を設置した場合であっても、窓越しからの視界が遮られるのを防止することと、植物の生育時における風の影響を避けることとをバランスよく達成できる壁面緑化構造が求められており、その点で改善の余地があった。
【０００６】
本発明は、上述する問題点に鑑みてなされたもので、窓越しからの視界が遮られるのを防止することができ、しかも植物の生育時における風の影響を効果的に抑制することができる壁面緑化プレートを提供することを目的とする。
【課題を解決するための手段】
【０００７】
上記目的を達成するため、本発明に係る壁面緑化プレートでは、建物の外側の壁面と離間して配置され、前記壁面と交差する方向又は平行方向に面方向が配置されると共に、上下方向に延在する回転プレートを備え、該回転プレートは、上下方向に沿う回転軸を中心に回転可能に設けられ、前記回転プレートの一方面側に植物が支持されていることを特徴としている。
【０００８】
本発明に係る壁面緑化プレートでは、建物の壁面に設けられる回転プレートを上下方向の回転軸を中心にして回転させることができる。そのため、回転プレートの一方面側に支持される植物の生育時には、植物が壁面側となり、植物の壁面とは反対側に回転プレートが位置するように配置させることで、その回転プレートによって植物が直接受ける風の影響を抑えることができ、植物を効果的に成長させることができ、確実な緑化が可能である。そして、植物が十分成長したときに、回転プレートを反転させ、回転プレートを挟んで壁面と反対側、すなわち日光や風が当たり易い表面側に植物を配置させ、壁面緑化として機能させることができる。
【０００９】
また、回転プレートを適宜な回転角度で位置させることができるので、建物の窓前の領域に回転プレートを配置する場合であっても、窓全面に植物が固定配置される従来の場合に比べて、回転プレートを回転軸を中心にして回転させることで、開口の大きさを調整することができ、窓越しの視界が遮られるのを防止することができる。
【００１０】
また、壁面に対する日当たりの状態に合わせて、回転プレートを回転させることも可能であるので、回転プレートを植物の種類に応じて適宜な回転角度に設定することができる。さらに、窓から入射する陽射しを回転プレートによって遮断する遮光の機能をもたせることも可能である。
また、建物の形状、周囲の雰囲気に合わせて回転プレートを適宜な回転角度に位置させることで、建物の外観にデザイン性を持たせることも可能である。
【００１１】
また、本発明に係る壁面緑化プレートでは、前記回転プレートは、上下方向に沿って延在して植物を支持する植物支持ワイヤを有し、該植物支持ワイヤは、前記回転軸となることが好ましい。
【００１２】
この場合には、植物を支持させる植物支持ワイヤを回転プレートから独立させて設けることができるので、回転プレートに絡み付かせにくい植物や、回転プレートに直接支持させたくない場合に有効である。しかも、植物に接するようにして回転プレートが配置されないので、デザイン性の向上を図ることが可能となる利点がある。
【００１３】
また、本発明に係る壁面緑化プレートでは、複数の前記回転プレートを前記壁面に沿って互いに間隔をあけて配列されていることが好ましい。
【００１４】
この場合には、複数の回転プレートを壁面に配置する場合であっても、隣り合う回転プレート同士の間に適宜な間隔が設けられるので、上述のように植物の育成時においても複数の回転プレートと壁面との間に適宜な風を通過させることができ、優れた植物の育成を行うことができる。また、窓前に複数の回転プレートを配置する場合にも、回転プレート同士の間に隙間が形成されるので、窓からの視界が遮られるのを抑制することができる。
【００１５】
また、本発明に係る壁面緑化プレートでは、前記回転プレートには開口が形成されていてもよい。
【００１６】
このような構成とすることで、植物の育成時において、回転プレートによって植物が直接受ける風の影響を抑える効果に加え、回転プレートに形成される開口を通じて日光を取り込むことができ、適宜な照度を確保することができるので、植物の成長を促進することができる。
【発明の効果】
【００１７】
本発明の壁面緑化プレートによれば、窓前に壁面緑化構造を設置した場合であっても、窓越しからの視界が遮られるのを防止することができ、しかも植物の生育時における風の影響を効果的に抑制することができるという効果を奏する。
【図面の簡単な説明】
【００１８】
【図１】本発明の第１の実施の形態による壁面緑化プレートを示す側面図であって、回転プレートの壁面側に植物を設けた図である。
【図２】回転プレートを上から見た図であって、回転状態を示す図である。
【図３】図１に示すＡ−Ａ線矢視図であって、壁面緑化プレートを壁面に向かって見た正面図である。
【図４】図３に示す壁面緑化プレートの上面図であって、上支持板を省略した図である。
【図５】回転プレートを植物より壁面の反対側に向けた状態を示す側面図であって、図１に対応する図である。
【図６】図５に示す壁面緑化プレートを壁面に向かって見た正面図である。
【図７】図６に示す壁面緑化プレートの上面図であって、上支持板を省略した図である。
【図８】第２の実施の形態による壁面緑化プレートを示す側面図である。
【図９】図８に示す壁面緑化プレートの回転プレートを上から見た図である。
【図１０】回転プレートの斜視図である。
【図１１】第３の実施の形態による回転プレートを示す上面図である。
【図１２】図１１に示す回転プレートを備えた壁面緑化プレートを示す側面図である。
【図１３】他の実施の形態による壁面緑化プレートを示す正面図であって、図３に対応する図である。
【発明を実施するための形態】
【００１９】
以下、本発明の実施の形態による壁面緑化プレートについて、図面に基づいて説明する。
【００２０】
（第１の実施の形態）
図１に示すように、本実施の形態による壁面緑化プレート１は、建物２の外側において建物２の壁面２ａに沿ってその壁面２ａから離間した位置に設けられ、上下方向に延在して例えば蔓性の植物７を絡み付かせるように支持する植物支持ワイヤ３と、この植物支持ワイヤ３を回転軸Ｃとして回転可能に設けられ、壁面２ａと交差する方向又は平行な方向に面方向が配置され、且つ上下方向に延在する平板状の回転プレート４と、を備えている。
壁面緑化プレート１は、植物支持ワイヤ３と回転プレート４とが１セットとなり、複数の回転プレート４、４、…が壁面２ａに沿って水平方向に互いに間隔をあけて配列されている。
【００２１】
複数の植物支持ワイヤ３の上端３ａ及び下端３ｂは、それぞれ壁面２ａに沿って水平に延在する横長の上支持板５Ａ、及び横長の下支持板５Ｂに対して回転自在に取り付けられている。これにより各植物支持ワイヤ３が、回転プレート４の回転軸Ｃとなる。
上支持板５Ａ及び下支持板５Ｂは、それぞれが建物２に固定されていてもよいし、図１に示すように、下支持板５Ｂがベランダ１２上に固定され、上支持板５Ａが図示しないが壁面２ａに固定される構成でもよい。あるいは、上支持板５Ａ及び下支持板５Ｂが枠部材の一部をなし、この枠内で複数の植物支持ワイヤ３及び回転プレート４が支持される構成とすることも可能である。
【００２２】
回転プレート４は、図２に示すように、上下方向に長尺な長方形状の平板によって形成されている。図１に示すように、各回転プレート４の上端４ｂ及び下端４ｃには、それぞれ回転プレート４の植物支持ワイヤ３と対向する植物配置表面４ａ側に突出する取付片６Ａ、６Ｂが設けられている。取付板６Ａ、６Ｂは、前記回転軸Ｃとなる植物支持ワイヤ３に固定されている。
なお、回転プレート４には、任意の位置又は一方の植物配置表面４ａが壁面２ａ側を向く位置、及び植物配置表面４ａが壁面２ａの反対側を向く位置で停止させるストッパ（図示省略）を設けることが好ましい。
【００２３】
植物７は、ベランダ１２や地面（図示せず）等に載置されたプランター１３等に植栽されている。図３に示すように、植物７は、植物支持ワイヤ３や回転プレート４の植物配置表面４ａに付着して成長するものが好ましい。このような植物７としては、ステンレスワイヤ−やネット等の補助材を用いず建物の外壁に直接植物を登攀する植物、例えばヘデラやオオイタビ等の付着根を持つ植物を例示できる。
【００２４】
また、植物７としては、トケイソウ、クレマチス、ノウゼンカズラ、アケビ、ムベ、テイカカズラ等のように、ワイヤやネット等の補助材を登攀する巻きつる型のツル植物を例示できる。
【００２５】
なお、植物７の根元は、回転プレート４を回転させたときに、植物７が回転プレート４や植物支持ワイヤ３に絡み付いて切断されることがないようにするため、多少の余裕を持たせる。
【００２６】
次に、上述した壁面緑化プレート１の作用について図面を用いて説明する。
図１、図３、及び図４に示すように、本実施の形態による壁面緑化プレート１では、建物２の壁面２ａに設けられる回転プレート４を上下方向の回転軸Ｃを中心にして回転させることができる。そのため、回転プレート４の一方面（植物配置表面４ａ）側に支持される植物の生育時には、植物７が壁面２ａ側となり、植物７の壁面２ａとは反対側に回転プレート４が位置するように配置させることで、その回転プレート４によって植物７が直接受ける風の影響を抑えることができ、植物を効果的に成長させることができ、確実な緑化が可能である。
そして、図５、図６、及び図７に示すように、植物が十分成長したときに、回転プレート４を１８０°反転させて、回転プレート４を挟んで壁面２ａと反対側、すなわち日光や風が当たり易い表面側に植物７を配置させ、壁面緑化として機能させることができる。
【００２７】
また、回転プレートを適宜な回転角度で位置させることができるので、建物２の窓前の領域に回転プレート４を配置する場合であっても、窓全面に植物が固定配置される従来の場合に比べて、回転プレート４を回転軸Ｃを中心にして回転させることで、開口Ｓの大きさを調整することができ、窓越しの視界が遮られるのを防止することができる。
【００２８】
また、本実施の形態では、壁面２ａに対する日当たりの状態に合わせて、回転プレート４を回転させることも可能であるので、回転プレート４を植物７の種類に応じて適宜な回転角度に設定することができる。さらに、窓から入射する陽射しを回転プレート４によって遮断する遮光の機能をもたせることも可能である。
また、建物の形状、周囲の雰囲気に合わせて回転プレート４を適宜な回転角度に位置させることで、建物の外観にデザイン性を持たせることも可能である。
【００２９】
また、植物７を支持させる植物支持ワイヤ３を回転プレート４から独立させて設けることができるので、回転プレート４に絡み付かせにくい植物や、回転プレート４に直接支持させたくない場合に有効である。しかも、植物７に接するようにして回転プレート４が配置されないので、デザイン性の向上を図ることが可能となる利点がある。
【００３０】
さらに、図３及び図４に示す本実施の形態のように、複数の回転プレート４、４、…を壁面２ａに配置する場合であっても、隣り合う回転プレート４、４同士の間に適宜な間隔Ｓが設けられるので、上述のように植物の育成時においても複数の回転プレート４、４、…と壁面２ａとの間に適宜な風を通過させることができ、優れた植物７の育成を行うことができる。
また、窓前に複数の回転プレート４を配置する場合にも、回転プレート４、４同士の間に間隔Ｓが形成されるので、窓からの視界が遮られるのを抑制することができる。
【００３１】
さらに、植物支持ワイヤ３には植物７だけ設ければよく、重量も抑えることが可能となるので、回転プレート４の回転操作が容易になる。したがって、植物７の向きを簡単に変えることができる。
なお、回転プレート４の回転操作は、手動操作でもよいし、電動式モータ等を使用した自動操作でも良い。
【００３２】
上述のように本実施の形態による壁面緑化プレートでは、窓前に壁面緑化構造を設置した場合であっても、窓越しからの視界が遮られるのを防止することができ、しかも植物の生育時における風の影響を効果的に抑制することができる。
【００３３】
次に、本発明の壁面緑化プレートによる他の実施の形態について、添付図面に基づいて説明するが、上述の第１の実施の形態と同一又は同様な部材、部分には同一の符号を用いて説明を省略し、第１の実施の形態と異なる構成について説明する。
【００３４】
（第２の実施の形態）
図８乃至図１０に示すように、第２の実施の形態による壁面緑化プレート１Ａは、回転プレート４の上端４ｂ及び下端４ｃのそれぞれに回転ピン４１、４２が設けられている。これら回転ピン４１、４２は、回転プレート４の回転軸Ｃをなし、軸方向を上下方向に向けて突出され、それぞれ上支持板５Ａ、下支持板５Ｂに対して回転可能に取り付けられている。この場合、植物７は、回転プレート４の植物配置表面４ａに沿って支持されている。
本第２の実施の形態では、上述した第１の実施の形態の植物支持ワイヤ３（図１）を省略することができるので、より簡単な構造となり、施工が容易になるという利点がある。
【００３５】
（第３の実施の形態）
次に、図１１及び図１２に示す第３の実施の形態による壁面緑化プレート１Ｂについて説明する。
壁面緑化プレート１Ｂの回転プレート４Ａは、断面視でＶ字状に形成されている。回転プレート４Ａの頂部４ｄには、回転軸Ｃをなす軸部材８が上下方向に一体的に挿通されている。この軸部材８の回転プレート４Ａから上下に突出する上突出部８ａと下突出部８ｂとがそれぞれ上支持板５Ａ、下支持板５Ｂに対して回転可能に取り付けられている。この場合、植物７は、回転プレート４Ａの内角側の植物配置表面４ａに沿って支持されている。この場合、回転プレート４Ａは、軸部材８を中心にして回転される。
第３の実施の形態では、植物７が回転プレート４Ａの内角側で二辺を形成するプレート材によって囲われた状態で支持されるので、とくに生育時において確実に風から保護することができる。
【００３６】
以上、本発明による壁面緑化プレートの実施の形態について説明したが、本発明は上記の実施形態に限定されるものではなく、その趣旨を逸脱しない範囲で適宜変更可能である。
例えば、回転プレート４、４Ａの厚さ、大きさ等の構成は建物の壁面の形状、広さなどに合わせて適宜変更することができる。
また、壁面緑化プレート１、１Ａ、１Ｂと壁面２ａとの取り付け構造は、取り外し可能でもよいし、固定させることも可能であり、任意に設定することができる。
【００３７】
また、本実施の形態の壁面緑化プレート１、１Ａ、１Ｂでは、開口が形成されていない面板であるが、これに限らず、例えば図１３に示すように開口が形成された回転プレート４Ｂ、４Ｃを採用することも可能である。
図１３に示す符号４Ｂの回転プレートは、メッシュ状に形成されている。符号４Ｃの回転プレートは、パンチングメタル等の複数の小孔が開いた構成となっている。いずれの回転プレート４Ｂ、４Ｃともに、その開口率が例えば１０〜４０％に設定されている。これは、開口率を４０％以内とすることで風速を１／３以内に抑えることができる。また、例えばヘデラ類の植物に必要な２０００ｌｘの光を取り入れるためには１０％以上の開口率に設定することが好ましい。
【００３８】
このような構成とすることで、植物の育成時において、回転プレート４Ｂ、４Ｃによって植物が直接受ける風の影響を抑える効果に加え、回転プレート４Ｂ、４Ｃに形成される開口を通じて日光を取り込むことができ、適宜な照度を確保することができるので、植物の成長を促進することができる。
【００３９】
その他、本発明の趣旨を逸脱しない範囲で、上記した実施の形態における構成要素を周知の構成要素に置き換えることは適宜可能である。
【符号の説明】
【００４０】
１、１Ａ、１Ｂ  壁面緑化プレート
２  建物
２ａ  壁面
３  植物支持ワイヤ
４、４Ａ、４Ｂ、４Ｃ  回転プレート
４ａ  植物配置表面
５Ａ  上支持板
５Ｂ  下支持板
６Ａ、６Ｂ  取付板
７  植物
８  軸部材
Ｃ  回転軸
Ｓ  間隔
【図１】
2015123009.tif 000003
【図２】
2015123009.tif 000004
【図３】
2015123009.tif 000005
【図４】
2015123009.tif 000006
【図５】
2015123009.tif 000007
【図６】
2015123009.tif 000008
【図７】
2015123009.tif 000009
【図８】
2015123009.tif 000010
【図９】
2015123009.tif 000011
【図１０】
2015123009.tif 000012
【図１１】
2015123009.tif 000013
【図１２】
2015123009.tif 000014
【図１３】
2015123009.tif 000015